(57)【要約】【課題】テレビ電話機能を用いた通話において、より親密感を高めることが可能な携帯端末及び情報伝達方法を提供する。【解決手段】携帯端末１０及び携帯端末４０を用いて実現されるコミュニケーションツール１によれば、携帯端末１０側のテンキーの押下等の簡単な操作を実行命令受付部１２が受け付け、命令送受信部１３が、携帯端末４０側に送信側ユーザを攻撃する実行命令（コミュニケーション指示の一つ）を送信している。そして、携帯端末４０側では、命令送受信部４３が実行命令を受信して、画像処理部４４、音声出力制御部５１及び振動出力制御部５２が、攻撃が加えられたような挙動を表現するように、表示部４１、スピーカ５２、バイブレータ５４を制御している。【選択図】図１
2010258781.tif 000002
【特許請求の範囲】
【請求項１】
携帯端末間において互いのユーザの画像をみながら通話することが可能な携帯端末であって、
一方のユーザの画像と他方のユーザの画像とを表示する表示手段と、
前記表示手段に表示されている前記一方のユーザから送信され、他方のユーザに対するコミュニケーション指示を受信する命令受信手段と、
前記命令受信手段が前記コミュニケーション指示を受信した際、前記コミュニケーション指示に応じた挙動結果を表現する挙動表現手段と、
を備えることを特徴とする、携帯端末。
【請求項２】
前記挙動表現手段は、前記コミュニケーション指示に応じて前記表示手段に表示されている前記他方のユーザの画像に対して所定の画像処理を施す画像処理手段、前記コミュニケーション指示に応じて音声を出力する音声出力手段に対して所定の音声を出力させる音声出力制御手段及び前記コミュニケーション指示に応じて振動を出力する振動手段に対して所定の振動を出力させる振動出力制御手段の少なくとも一つを含んでいる、
ことを特徴とする、請求項１に記載の携帯端末。
【請求項３】
前記挙動表現手段は、前記命令受信手段が前記コミュニケーション指示を受信した際、所定時間の間、前記一方のユーザの画像よりも前記他方のユーザの画像を表示する領域を大きくするように前記表示手段を制御する、
ことを特徴とする、請求項１または２に記載の携帯端末。
【請求項４】
前記命令受信手段は、前記互いのユーザの画像を見ながら通話するにあたって未使用の帯域であるデータ帯域を使用して前記コミュニケーション指示を受信する、
ことを特徴とする、請求項１から３のいずれか１項に記載の携帯端末。
【請求項５】
前記他方のユーザから送信され、前記一方のユーザに対するコミュニケーション指示の入力を受け付ける命令受付手段と、前記命令受付手段において入力された前記コミュニケーション指示を前記一方のユーザに向けて送信する命令送信手段と、をさらに備えることを特徴とする、
請求項１から４のいずれか１項に記載の携帯端末。
【請求項６】
前記挙動表現手段が前記一方のユーザからのコミュニケーション指示に応じた挙動を表現することを回避するための回避命令の入力を受け付ける回避命令受付手段と、
前記回避命令受付手段において前記回避命令を受け付けた際、前記コミュニケーション指示に応じた挙動を表現することを回避するように前記挙動表現手段を制御する回避制御手段をさらに備えることを特徴とする、
請求項１から５のいずれか１項に記載の携帯端末。
【請求項７】
前記回避制御手段は、前記回避命令受付手段において前記回避命令を受け付けた際、前記他方のユーザの画像に対して所定の画像処理が施されることを回避するように前記画像処理手段を制御する、
ことを特徴とする、請求項６に記載の携帯端末。
【請求項８】
前記回避制御手段は、前記回避命令受付手段において前記回避命令を受け付けた際、音声出力手段によって前記所定の音声が出力されることを回避するように前記音声出力制御手段を制御する、または、振動制御手段によって前記所定の振動が出力されることを回避するように前記振動制御手段を制御する、
ことを特徴とする、請求項６に記載の携帯端末。
【請求項９】
一方のユーザと他方のユーザとが互いのユーザの画像をみながら通話することが可能な携帯端末における情報伝達方法であって
前記一方のユーザの携帯端末において、前記他方のユーザに対するコミュニケーション指示を前記他方のユーザの携帯端末に送信する命令送信ステップと、
前記他方のユーザの携帯端末において、前記一方のユーザの携帯端末から前記コミュニケーション指示を受信した際、前記コミュニケーション指示に応じた挙動結果を表現する挙動表現ステップと、
を備えることを特徴とする、携帯端末における情報伝達方法。
【発明の詳細な説明】
【技術分野】
【０００１】
本発明は、画像と音声の送受信が可能なテレビ電話機能付きの携帯端末及び情報伝達方法に関する。
【背景技術】
【０００２】
従来より、テレビ電話装置と携帯電話装置の各機能を組み合わせることにより、相手の顔を見ながら、屋外や移動中の自動車等でも通話できるテレビ電話機能付きの携帯電話端末が知られている。これらのテレビ電話機能付き携帯電話端末では、カメラ手段で撮影して得られた発信側の映像信号と、音声取込手段で得られた発信側の音声信号とを同時に送信し、受信された映像信号を表示手段で表示すると共に、受信された音声信号を音声発生手段で音声出力している。
【０００３】
また、これらのテレビ電話機能付きの携帯端末において送受信される映像に関する技術が開示されている。
【０００４】
特許文献１では、端末で動作するアプリケーションの情報をテレビ電話の画像として相手に送信し、相手側の携帯端末の表示部に表示させる技術が開示されている。また、特許文献２では、送信側の画像と相手側の画像を合成して１つの画像に表示する技術が開示されている。
【先行技術文献】
【特許文献】
【０００５】
【特許文献１】特開２００８−２５２５６３号公報
【特許文献２】特開２００５−３０３３６０号公報
【発明の概要】
【発明が解決しようとする課題】
【０００６】
しかしながら、上記特許文献１及び特許文献２においては、基本的に、自機の端末において生成あるいは加工した映像を相手側に送信している。そして、このような「映像」と「音声」のみを用いて互いに通話することが可能であっても、より親密感を高めるコミュニケーションツールとしてテレビ電話機能付きの携帯端末を使用するには物足りない。
【０００７】
本発明は、係る状況を鑑み、互いの通話において、より親密感を高めることが可能な携帯端末及び情報伝達方法を提供することを目的とする。
【課題を解決するための手段】
【０００８】
上記課題を解決するため、本発明の携帯端末は、携帯端末間において互いのユーザの画像をみながら通話することが可能な携帯端末であって、一方のユーザの画像と他方のユーザの画像とを表示する表示手段と、表示手段に表示されている一方のユーザから送信され、他方のユーザに対するコミュニケーション指示を受信する命令受信手段と、命令受信手段がコミュニケーション指示を受信した際、コミュニケーション指示に応じた挙動結果を表現する挙動表現手段と、を備えることを特徴とする。
【０００９】
なお、ここでいうコミュニケーション指示とは、例えば、他方のユーザの画像に対して変形を加えるような画像処理を施して、一方のユーザが他方のユーザに対してコミュニケーションを図ったようなイメージを提供することをいう。例えば、他方のユーザの画像に対して変形を加えるような画像処理を施して、一方のユーザが他方のユーザに攻撃を与えたように見せかけることで、コミュニケーションを図ったようなイメージを提供することができる。
【００１０】
このような携帯端末によれば、テレビ電話で通話している際の一方のユーザによる簡単な操作によって、他方のユーザに対してコミュニケーションを図ったような挙動を提供することが可能となる。この結果、従来の画像と音声によるテレビ電話機能を有する携帯端末に比べて、通話中の親密感を高めることが可能となる。
【００１１】
また、本発明の携帯端末によれば、挙動表現手段は、コミュニケーション指示に応じて表示手段に表示されている他方のユーザの画像に対して所定の画像処理を施す画像処理手段、コミュニケーション指示に応じて音声を出力する音声出力手段に対して所定の音声を出力させる音声出力制御手段及びコミュニケーション指示に応じて振動を出力する振動手段に対して所定の振動を出力させる振動出力制御手段の少なくとも一つを含んでいる、ことが好ましい。
【００１２】
このような携帯端末によれば、互いに通話している際の一方のユーザによる簡単な操作によって、相手の画像に対して画像処理を施したり、他方の携帯端末に音声を出力させたり、振動を出力させたり、あるいは、これらを組み合わせた挙動を表現させたりすることが可能となる。この結果、従来の画像と音声によるテレビ電話機能を有する携帯端末に比べて、通話中の親密感を高めることが可能となる。
【００１３】
また、挙動表現手段は、命令受信手段がコミュニケーション指示を受信した際、所定時間の間、一方のユーザの画像よりも他方のユーザの画像を表示する領域を大きくするように表示手段を制御してもよい。これによれば、相手の画像を大きく表示している通常の表示とは異なり、相手からのコミュニケーション指示に応じて挙動を表現する自分の画像を大きく表示することができるので、より相手側からのコミュニケーション指示を感じることが可能となる。
【００１４】
また、本発明の携帯端末では、命令受信手段は、互いのユーザの画像を見ながら通話するにあたって未使用の帯域であるデータ帯域を使用してコミュニケーション指示を受信することが好ましい。これによれば、テレビ電話中におけるコミュニケーション指示の送受信を、テレビ電話の機能に影響を与えることなく容易に実現することが可能となる。
【００１５】
また、本発明の携帯端末では、他方のユーザから送信され、一方のユーザに対するコミュニケーション指示の入力を受け付ける命令受付手段と、命令受付手段において入力されたコミュニケーション指示を一方のユーザに向けて送信する命令送信手段と、をさらに備えることが好ましい。これにより、コミュニケーション指示を受けた他方のユーザも、一方のユーザに対してコミュニケーション指示を与えることができるようになる。この結果、一方のユーザからのコミュニケーション指示に応じた挙動を表現するだけでなく、他方のユーザに対してコミュニケーション指示に応じた挙動を表現させることができるようになるので、より相手とのやりとりを楽しむことが可能となる。
【００１６】
また、本発明の携帯端末では、挙動表現手段が一方のユーザからのコミュニケーション指示に応じた挙動を表現することを回避するための回避命令の入力を受け付ける回避命令受付手段と、回避命令受付手段において回避命令を受け付けた際、コミュニケーション指示に応じた挙動を表現することを回避するように挙動表現手段を制御する回避制御手段をさらに備えることが好ましい。これによれば、相手からコミュニケーション指示を受けて挙動を表現するだけでなく、コミュニケーション指示に応じた挙動を表現することを回避することができるようになるので、より相手とのやりとりを楽しむことが可能となる。
【００１７】
また、本発明の携帯端末では、回避制御手段は、回避命令受付手段において回避命令を受け付けた際、他方のユーザの画像に対して所定の画像処理が施されることを回避するように画像処理手段を制御してもよい。これによれば、相手からのコミュニケーション指示を回避した際の効果を演出することができるので、より相手とのやりとりを楽しむことが可能となる。
【００１８】
また、本発明の携帯端末では、回避制御手段は、回避命令受付手段において回避命令を受け付けた際、音声出力手段によって所定の音声が出力されることを回避するように音声出力制御手段を制御する、または、振動制御手段によって所定の振動が出力されることを回避するように振動制御手段を制御してもよい。これによれば、相手からのコミュニケーション指示を回避した際の音声、または、振動を演出することができるので、より相手とのやりとりを楽しむことが可能となる。
【００１９】
本発明の携帯端末における情報伝達方法では、一方のユーザと他方のユーザとが互いのユーザの画像をみながら通話することが可能な携帯端末における情報伝達方法であって、一方のユーザの携帯端末において、他方のユーザに対するコミュニケーション指示を他方のユーザの携帯端末に送信する命令送信ステップと、他方のユーザの携帯端末において、一方のユーザの携帯端末からコミュニケーション指示を受信した際、コミュニケーション指示に応じた挙動結果を表現する挙動表現ステップと、を備えることを特徴とする。
【００２０】
このような情報伝達方法によれば、テレビ電話で通話している際の一方のユーザによる簡単な操作によって、他方のユーザに対してコミュニケーションを図ったような挙動を提供することが可能となる。この結果、従来の画像と音声による情報伝達方法に比べて、通話中の親密感を高めることが可能となる。
【発明の効果】
【００２１】
本発明によれば、互いの通話において、親密感を高めることが可能となる。
【図面の簡単な説明】
【００２２】
【図１】本発明の好適な一実施形態にかかる携帯端末を用いて実現されるコミュニケーションツールの機能構成を示すブロック図である。
【図２】図１の携帯端末のハードウェア構成を示す図である。
【図３】図１の表示部が表示する内容と命令送受信部が送受信するデータを示す説明図である。
【図４】図１の表示部が表示する内容と命令送受信部が送受信するデータを示す説明図である。
【図５】図１のコミュニケーションツールにおける送信側の携帯端末の動作を示すフローチャートである。
【図６】図１のコミュニケーションツールにおける受信側の携帯端末の動作を示すフローチャートである。
【発明を実施するための形態】
【００２３】
本発明の好適な一実施形態に係る携帯端末１０及び携帯端末４０を用いて実現されるコミュニケーションツール１について、図１〜図６を用いて説明する。なお、図面の説明においては、同一要素には同一符号を付し、重複する説明を省略する。
【００２４】
図１は、本発明の一実施形態に係る携帯端末１０及び携帯端末４０に備えられたコミュニケーションツール１のブロック図である。
【００２５】
コミュニケーションツール１は、図４に示すように、簡単な操作で相手側の画像に画像処理を施して攻撃をしたように見せかけたりする等、テレビ電話機能に付加された機能を実現する。
【００２６】
本コミュニケーションツール１は、携帯端末１０と携帯端末４０との間において実現される。そして、携帯端末１０と携帯端末４０とは、移動体通信網、インターネット及びイントラネット等によって構成される通信ネットワークＮＷを介して、データ通信可能な状態で接続されている。
【００２７】
携帯端末１０は、図１に示すように、表示部（表示手段）１１と、実行命令受付部（命令受付手段）１２と、命令送受信部（命令送受信手段）１３と、画像処理部（画像処理手段）１４と、音声出力制御部（音声出力制御手段）２１と、スピーカ（音声出力手段）２２と、振動出力制御部（振動出力制御手段）２３と、バイブレータ（振動出力手段）２４と、回避命令受付部（回避命令受付手段）２５と、回避制御部（回避制御手段）２６とを含んで構成されている。
【００２８】
携帯端末４０は、図１に示すように、表示部（表示手段）４１と、実行命令受付部（命令受付手段）４２と、命令送受信部（命令送受信手段）４３と、画像処理部（画像処理手段）４４と、音声出力制御部（音声出力制御手段）５１と、スピーカ（音声出力手段）５２と、振動出力制御部（振動出力制御手段）５３と、バイブレータ（振動出力手段）５４と、回避命令受付部（回避命令受付手段）５５と、回避制御部（回避制御手段）５６とを含んで構成されている。
【００２９】
ここで、図２は、携帯端末１０（４０）のハードウェア構成図である。このように、携帯端末１０（４０）は、物理的には、同図に示すように、ＣＰＵ６１、主記憶装置であるＲＡＭ６２及びＲＯＭ６３、補助記憶装置６５、実行命令受付部１２（４２）、回避命令受付部２５（５５）、表示部１１（４１）、スピーカ２２（５２）、バイブレータ２４（５４）、ＮＷとの間でのデータの送受信を司る通信モジュール６６等を含む情報処理装置として構成されている。携帯端末１０（４０）によって実現される機能は、図２に示すＣＰＵ６１、ＲＡＭ６２等のハードウェア上に所定のプログラムを読み込ませることにより、ＣＰＵ６１の制御のもとで通信モジュール６６、実行命令受付部１２（４２）、回避命令受付部２５（５５）、表示部１１（４１）、スピーカ２２（５２）、バイブレータ２４（５４）を動作させるとともに、ＲＡＭ６２や補助記憶装置６５におけるデータの読み出し及び書き込みを行うことで実現される。
【００３０】
以下、携帯端末１０の機能について説明する。表示部１１は、互いにテレビ電話機能を使って通話する際、主に、送話側（一方のユーザ）の画像と受話側（他方のユーザ）の画像とを表示する部分である。そして、表示部１１は、図３に示すように、通常、送話側の画像よりも受話側の画像を大きく表示する。
【００３１】
実行命令受付部１２は、図４に示すように、受話側に対して攻撃をしかけるというコミュニケーションツール１の一機能を実現するため、攻撃命令（コミュニケーション指示）の入力を受け付ける部分である。ここで、受話側に対する攻撃とは、表示部１１に表示されている送話側のユーザ画像に、例えば、図４に示すような、画像を変形させたり、鼻血を出させたりするような画像処理を施して、送話側のユーザが受話側のユーザに攻撃を与えたように見せることをいう。具体的には、携帯端末１０の所定のテンキーが入力されることによって攻撃命令を受け付ける。
【００３２】
命令送受信部１３は、実行命令受付部１２において入力された攻撃命令を受話側の携帯端末４０に向けて送信したり、また、受話側の携帯端末４０から攻撃命令や、後述する回避命令を受信したりする部分である。ここで、例えば、３Ｇ３２４Ｍ規格、すなわち、W−ＣＤＭＡ方式の第３世代移動通信システム向けの回線交換型通信モードでのテレビ電話規格は、図３に示すように、映像帯域７１と、音声帯域７２と、制御帯域７３と、データ帯域７４とを有している。命令送受信部１３は、テレビ電話を使用する際に未使用の帯域であるデータ帯域を利用する。そして、互いの携帯端末のアプリレイヤーにて通信する共通のプロトコルを実装することによって信号処理の送受信を実現している。
【００３３】
画像処理部１４は、命令送受信部１３が攻撃命令を受信した際、表示部１１に表示されている受話側のユーザの画像に対して、攻撃されたような所定の画像所処理を施す部分である。画像処理部１４は、受話側のユーザの画像に対して、例えば、図４に示すような、画像を変形させたり、鼻血を出させたりするような画像処理を施す。
【００３４】
音声出力制御部２１は、命令送受信部１３が攻撃命令を受信した際、画像処理部１４が、受話側のユーザの画像に対して所定の画像処理を施すタイミングで打撃音を出力するようにスピーカ２２を制御する部分である。
【００３５】
スピーカ２２は、音声出力制御部２１に従って、打撃音を出力する。
【００３６】
振動出力制御部２３は、命令送受信部１３が攻撃命令を受信した際、画像処理部１４が受話側のユーザの画像に対して所定の画像処理を施すタイミングで振動を出力するようにバイブレータ２４を制御する部分である。
【００３７】
バイブレータ２４は、振動出力制御部２３に従って、振動を出力する。
【００３８】
回避命令受付部２５は、コミュニケーションツールの一機能である送話側からの攻撃に対して防御命令（回避命令）の入力を受け付ける。ここで、送話側からの攻撃に対する防御とは、表示部１１に表示されている送話側のユーザ画像に、例えば、図４に示すような画像処理が施されることを回避して、送話側からの攻撃を防御したように見せることをいう。具体的には、携帯端末の所定のテンキーが入力されることによって、攻撃命令を受け付ける。
【００３９】
なお、携帯端末４０の機能については、上述したように携帯端末１０に備えられている構成要件と同じであるので（参照番号は異なっていても、名称が同じものは同様の機能を有するものとする）、ここではその説明を省略する。
【００４０】
以下、図３，図４を用いて、携帯端末１０および携帯端末４０の動作について説明する。なお、ここでは、通話者Ａ（一方のユーザ）と通話者Ｂ（他方のユーザ）とが、コミュニケーションツール１を使って通話する場合について説明し、通話者Ａが通話者Ｂに対して攻撃をしかけた場合について説明する。
【００４１】
最初に、攻撃命令を送信する携帯端末１０側におけるコミュニケーションツール１の動作を説明する。
【００４２】
通話者Ａと通話者Ｂとがテレビ電話中（ステップＳ０１）のとき、本コミュニケーションツール１を使用することができる。
【００４３】
そして、通話者Ａが、通話者Ｂとテレビ電話通話中に上述したような攻撃をしかけたい場合には、通話者Ａは、メニューから「攻撃」を選択し、次に任意のテンキーを押下する。
【００４４】
このとき、実行命令受付部１２は、通話者Ａによって攻撃モードが選択されているかどうかを判定（ステップＳ０２）する。そして、攻撃モードが選択されていると判定した場合には、ステップＳ０３に移動し、攻撃モードが選択されていないと判定した場合には、次に、通話者Ａから命令が与えられるまで待機する。
【００４５】
次に、上記ステップＳ０２において、攻撃モードが選択されていると判定した場合には、実行命令受付部１２は、通話者Ａが任意のテンキーを押下したかどうか判定する（ステップＳ０３）。ここで、実行命令受付部１２が、通話者Ａによって任意のテンキーが押下されたと判定した場合には、ステップＳ０４に移動し、押下されていないと判定した場合には、通話者Ａによって任意のテンキーが押下されるまで待機する。
【００４６】
次に、上記ステップＳ０３において、任意のテンキーが押下されたと判定した場合には、命令送受信部１３は、携帯端末４０に向けて攻撃命令を送信する（ステップＳ０４）。このとき、命令送受信部１３は、図３、図４に示すデータ帯域７４を用いて、攻撃命令を送信する。具体的には、命令送受信部１３は、携帯端末４０における命令送受信部４３に向けて、通話者Ｂの画像を変形させる旨の命令、携帯端末４０のバイブレータ５４を動かす旨の命令、携帯端末４０のスピーカ２２に攻撃音ファイル（攻撃音を音声として出力するファイル）を再生する旨の命令を送信する。なお、攻撃音については、あらかじめ携帯端末４０内に攻撃音ファイルを格納しておき、スピーカ２２に攻撃音ファイルを再生させる旨の命令を送信してもよい。
【００４７】
次に、攻撃命令を受信した携帯端末４０側におけるコミュニケーションツール１の動作を説明する。
【００４８】
携帯端末４０においても、通話者Ａと通話者Ｂとがテレビ電話中（ステップＳ１１）のとき、本コミュニケーションツール１を使用することができる。
【００４９】
命令送受信部４３は、携帯端末１０から攻撃命令を受信したかどうかを判定する（ステップＳ１２）。具体的には、命令送受信部４３は、携帯端末１０から、通話者Ｂの画像を変形させる旨の命令、携帯端末４０のバイブレータ５４を動かす旨の命令、携帯端末４０のスピーカ２２に受信した攻撃音ファイルを再生させる旨の命令を受信していないかどうか判定する。そして、命令送受信部４３が、攻撃命令を受信したと判定した場合には、ステップＳ１３に移動し、攻撃命令を受信していないと判定した場合には、攻撃命令の受信を確認するタイミングまで待機する。
【００５０】
次に、上記ステップＳ１２において、攻撃命令を受信したと判定した場合には、画像処理部１４は、所定時間（例えば、５秒間）、自画像領域と相手画像領域を入れ替える（ステップＳ１３）。具体的には、図４に示す表示部４１のように、画像処理部１４は、通話者Ｂの画像、すなわち、携帯端末４０のユーザである通話者Ｂからみて自画像である画像領域を大きく表示し、通話者Ａの画像、すなわち、携帯端末４０のユーザである通話者Ｂからみて相手画像である画像領域を小さく表示する。これにより、通話者Ｂは、通話者Ａから攻撃を受けたことをはっきりと認識することができる。そして、画像処理部１４は、５秒後、通常の表示状態である、通話者Ａの画像、すなわち、携帯端末４０のユーザである通話者Ｂからみて相手画像である画像領域を大きく表示し、通話者Ｂの画像、すなわち、携帯端末４０のユーザである通話者Ｂからみて自画像である画像領域を小さく表示する状態に戻す。
【００５１】
次に、実行命令受付部４２、あるいは、回避命令受付部５５は、通話者Ｂによって防御モード、あるいは、反撃モードが選択されたかどうかを判定（ステップＳ１４）する。そして、防御モード、あるいは、反撃モードが選択されたと判定した場合には、ステップＳ１５に移動し、防御モード、あるいは、反撃モードが選択されていないと判定した場合には、ステップＳ１６に移動する。
【００５２】
次に、上記ステップＳ１４において、防御モード、あるいは、反撃モードが選択されていると判定された場合には、実行命令受付部４２、あるいは、回避命令受付部５５は、通話者Ｂが任意のテンキーを押下したかどうか判定する（ステップＳ１５）。ここで、実行命令受付部４２、あるいは、回避命令受付部５５は、通話者Ｂによって任意のテンキーが押下されたと判定した場合には、ステップＳ１６に移動し、押下されていないと判定した場合には、通話者Ｂによって任意のテンキーが押下されるまで待機する。
【００５３】
次に、上記ステップＳ１５において、任意のテンキーが押下されたと判定した場合には、命令送受信部４３は、携帯端末１０に向けて防御命令、あるいは、反撃命令を送信する（ステップＳ１６）。ここで、携帯端末１０に防御命令が送信された場合には、命令送受信部４３への通知と同時に、回避制御部５６が、通話者Ａからの攻撃命令を実行しないように画像処理部４４と、音声出力制御部５１と、振動出力制御部５３とを制御する。すなわち、携帯端末４０における命令送受信部４３が、通話者Ａからの攻撃命令を受信した場合であっても、通話者Ｂの画像に変形が施されたり、携帯端末４０のスピーカに音声が出力されたり、携帯端末４０のバイブレータに振動が出力されたりすることを回避することができる。また、携帯端末１０に反撃命令が送信された場合には、通話者Ａの画像に変形を施したり、携帯端末１０のスピーカに音声を出力させたり、携帯端末１０のバイブレータに振動を出力させたりすることができる。
【００５４】
なお、反撃命令と攻撃命令とは、同じ内容の命令を意味している。すなわち、上記攻撃命令を入力する手順と同じ方法で、相手側の画像に所定の画像処理を加えたり、音声あるいは振動を出力させたりすることができる。
【００５５】
また、実行命令受付部４２、あるいは、回避命令受付部５５が検知する押下するテンキーについては、例えば、１，２，３，４，５のテンキーが押下げられた場合には、攻撃命令を送信し、６，７，８，９，０のテンキーが押下された場合には、防御命令を送信するように設定することも可能である。
【００５６】
一方、上記ステップＳ１４において、防御モード、あるいは、反撃モードが選択されていないと判定された場合には、命令送受信部４３は、携帯端末４０からの攻撃命令を画像処理部４４、音声出力制御部５１、振動出力制御部５３に送信する（ステップＳ１７）。これにより、画像処理部４４が、通話者Ｂの画像を変形させる旨の命令を受信した場合、画像処理部４４は、図４に示すように、携帯端末４０に表示されている通話者Ｂの画像を変形させる処理を施して、表示部４１にその画像を表示する。また、音声出力制御部５１が攻撃音ファイルを再生する旨の命令を受信した場合、音声出力制御部５１は、図４に示すように、その攻撃音ファイルを再生するように（処理Ｘ）スピーカ５２を制御する。また、振動出力制御部５３がバイブレータ５４を動かす旨の命令を受信した場合には、振動出力制御部５３は、図４に示すように、振動を出力するように（処理Ｙ）バイブレータ５４を制御する。
【００５７】
以上、説明した携帯端末１０及び携帯端末４０を用いて実現されるコミュニケーションツール１によれば、携帯端末１０側のテンキーの押下等の簡単な操作を実行命令受付部１２が受け付け、命令送受信部１３が、携帯端末４０側に送信側ユーザを攻撃する実行命令（コミュニケーション指示の一つ）を送信している。そして、携帯端末４０側では、命令送受信部４３が実行命令を受信して、画像処理部４４、音声出力制御部５１及び振動出力制御部５２が、攻撃が加えられたような挙動を表現するように、表示部４１、スピーカ５２、バイブレータ５４を制御している。これにより、通話中の相手に対して攻撃を与えたようなイメージを提供することを可能としている。この結果、従来のテレビ電話機能付きの携帯端末で実現される画像と音声とによる通話に比べて、通話中の親密感を高めることを可能としている。
【００５８】
また、上記実施形態においては、画像処理部１４が、通話者Ｂのユーザの画像の一部を変形させるような画像処理を行っている。これにより、テレビ電話での通話中に、通話者Ｂに対して攻撃を加えるようなイメージを提供することを可能としている。
【００５９】
また、上記実施形態においては、音声を出力するスピーカ５２と、命令送受信部４３が通話者Ａからの攻撃命令を受信した際、攻撃音を再生するようにスピーカ５２を制御する音声出力制御部５１とを備えている。そして、通話者Ｂの画像の変形に加えて攻撃音を出力している。これにより、テレビ電話において互いの画像をみながら通話している際の親密感をさらに高めることを可能としている。
【００６０】
また、上記実施形態では、振動を出力するバイブレータ５４と、命令送受信部４３が通話者Ａからの攻撃命令を受信した際、振動を出力するようにバイブレータ５４を制御する振動出力制御部５３とを備えている。そして、通話者Ｂの画像の変形に加えて、振動を出力している。これにより、テレビ電話において互いの画像をみながら通話している際の親密感をさらに高めることを可能としている。
【００６１】
また、上記実施形態では、画像処理部４４は、命令送受信部４３が通話者Ａからの攻撃命令を受信した際、５秒間、通話者Ａの画像よりも通話者Ｂの画像を表示する領域を大きくするように表示部４１を制御している。これにより、相手（通話者Ａ）から攻撃を受けて変形されていく自分（通話者Ｂ）の画像を大きく表示することができるので、より相手側からの攻撃を認識することを可能としている。
【００６２】
また、上記実施形態では、命令送受信部１３，４３は、データ帯域７４を利用して攻撃命令を送受信している。これにより、テレビ電話中に攻撃命令を送受信することを容易に実現している。
【００６３】
また、上記実施形態では、画像処理部４４によって通話者Ｂの画像の変形が施されることを回避する回避命令の入力を受け付ける回避命令受付部５５と、回避命令受付部５５において回避命令を受け付けた際、画像処理部４４によって変形が施されることを回避する回避制御部５６を備えている。これにより、相手（通話者Ａ）から攻撃されるだけでなく、相手からの攻撃を回避することができるようになるので、より相手とのやりとりを楽しむことを可能としている。
【００６４】
また、上記実施形態では、回避制御部５６は、回避命令受付部５５において回避命令を受け付けた際、スピーカ５２によって攻撃音が再生されることを回避するように音声出力制御部５１を制御している。また、同時に回避制御部５６は、バイブレータ５４によって振動が出力されることを回避するように振動出力制御部５３を制御している。これにより、相手（通話者Ａ）から攻撃を回避した際の効果を演出し、より相手（通話者Ａ）とのやりとりを楽しむことを可能としている。
【００６５】
なお、上記実施形態は、通話者Ａが通話者Ｂに対して攻撃をしかけた場合について説明したが、通話者Ｂが通話者Ａに対して攻撃をしかけることも可能であり、その処理の流れは上記と同様である。
【００６６】
また、上記実施形態では、画像処理部４４が、通話者Ｂの画像に対して変形を加えるような画像処理を施したが、本発明はこれに限定されるものではない。例えば、打撃されたことが分かるようなマークやシンボルを加えるような画像処理を施してもよい。
【００６７】
また、回避制御部５６は、回避命令受付部５５において回避命令を受け付けた際、音声出力制御部５１によって上記攻撃音とは異なる防御音を再生するように音声出力制御部５１を制御してもよい。
【００６８】
また、回避制御部５６は、回避命令受付部５５において回避命令を受け付けた際、振動出力制御部５３によって上記振動とは異なる振動を出力するように振動出力制御部５３を制御してもよい。
【００６９】
また、本実施形態では、防御・反撃モードを選択する（ステップＳ１４）前に、自画像領域と相手画像領域の入れ替えを行う処理（ステップＳ１３）を行っているが、これに限定されるものではない。例えば、防御・反撃モードを選択せず、攻撃命令を処理の実行を行った後、自画像領域と相手画像領域の入れ替えを行う処理を行ってもよい。
【００７０】
また、本実施形態では、図４に示すように、携帯端末４０における通話者Ｂの画像を変形させる例を挙げて説明したが、同時に、携帯端末１０における通話者Ｂの画像も同様に変形させてもよい。
【００７１】
また、本実施形態では、図４に示すように、携帯端末４０における通話者Ｂの攻撃をしかけたようなイメージを提供する例を挙げて説明したが、相手の頭をなでる等、他のコミュニケーション指示であってもよい。
【符号の説明】
【００７２】
１…コミュニケーションツール、１０…携帯端末、１１…表示部、１２…実行命令受付部、１３…命令送受信部、１４…画像処理部、２１…音声出力制御部、２２…スピーカ、２３…振動出力制御部、２４…バイブレータ、２５…回避命令受付部、２６…回避制御部、４０…携帯端末、４１…表示部、４２…実行命令受付部、４３…命令送受信部、４４…画像処理部、５１…音声出力制御部、５２…スピーカ、５３…振動出力制御部、５４…バイブレータ、５５…回避命令受付部、５６…回避制御部、６５…補助記憶装置、６６…通信モジュール。
【図１】
2010258781.tif 000003
【図２】
2010258781.tif 000004
【図３】
2010258781.tif 000005
【図４】
2010258781.tif 000006
【図５】
2010258781.tif 000007
【図６】
2010258781.tif 000008